【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
ダイアフラムポンプのチャンバへ流体を引き込むことと、
送出段階の間に、前記チャンバに圧力を印加し、印加された圧力が前記チャンバ内の流体を対象のレシピエントにポンプすることと、
前記送出段階の間の複数の異なる時間に、前記チャンバへの圧力の印加を一時的に中断して、前記チャンバ内の流体が対象のレシピエントにどの程度ポンプされたかを算出することと、
前記送出段階の間の複数の異なる時間に、前記チャンバ内の流体の量を算出することと、
前記送出段階の間の複数の異なる時間に、前記チャンバ内の流体の前記算出された量に基づき前記チャンバ内の流体を対象のレシピエントに運ぶ流量率を算出することと、
を含む方法。
【請求項２】
前記チャンバに圧力を印加することが、
実質的に一定の圧力を前記チャンバに印加して対象のレシピエントに流体を輸送する導管に前記チャンバから流体を排出すること、
を含む請求項１に記載の方法。
【請求項３】
方法がさらに、
前記算出された流量率を所望の流量率と比較することと、
前記算出された流量率と前記所望の流量率との差が閾値よりも大きいことを検出することに応答して、前記チャンバから対象のレシピエントへの流体の流量率を前記所望の流量率により近づけるように調整することと、
を含む請求項１に記載の方法。
【請求項４】
前記流量率を調整することが、前記送出段階の間に、前記チャンバに印加された圧力の大きさを調整することを含む、請求項３に記載の方法。
【請求項５】
前記流量率を調整することが、前記チャンバと対象のレシピエントの間に配置されたインライン流量抵抗器の抵抗を調整することを含む、請求項４に記載の方法。
【請求項６】
ダイアフラムポンプのチャンバへ流体を引き込むことと、
送出段階の間に、前記チャンバに圧力を印加し、印加された圧力が前記チャンバ内の流体を対象のレシピエントにポンプすることと、
前記送出段階の間の複数の異なる時間に、前記チャンバへの圧力の印加を一時的に中断して、前記チャンバ内の流体が対象のレシピエントにどの程度ポンプされたかを算出することとを含み、
前記チャンバへの圧力の印加を中断することが、チャンバおよびガス貯蔵タンクの圧力の大きさを異なるように制御し、前記貯蔵タンクの大きさは既知の大きさであり、前記チャンバの大きさは未知の大きさであり、
前記貯蔵タンクと前記チャンバの間のバルブを開けて、前記貯蔵タンクと前記チャンバのガスの圧力を実質的に等化にすることと、
前記貯蔵タンクの測定された圧力および前記チャンバの測定された圧力に基づいて、前記貯蔵タンクのガスの温度および前記チャンバのガスの温度を推定することと、
前記貯蔵タンクおよび前記チャンバのガスの測定された圧力およびガスの推定された温度の少なくとも一部に基づいて、どの程度の流体が前記チャンバ内に残存しているかを算出すること、
を含む方法。
【請求項７】
方法はさらに、
圧力を印加した後に、前記チャンバへ引き込まれた流体が前記チャンバにどの程度残存しているかの少なくとも一部に基づいて流体が対象のレシピエントにどの程度ポンプされたかを算出することを含む、請求項７に記載の方法。
【請求項８】
前記チャンバへの圧力の印加を中断することが、前記チャンバ内の流体をレシピエントにポンプすることを実質的に停止させる、請求項１に記載の方法。
【請求項９】
方法はさらに、
前記チャンバへの圧力の印加を中断することに続いて前記チャンバへの圧力の印加を再開し、圧力の印加を再開することにより前記チャンバ内の流体をレシピエントへ再び流すことを含む、請求項１に記載の方法。
【請求項１０】
流体送出システムであって、当該システムは、
ダイアフラムポンプと、
前記ダイアフラムポンプと通信の制御が可能なコントローラとを含み、
当該コントローラは、
ダイアフラムポンプのチャンバへ流体を引き込み、
送出段階の間に、前記チャンバに圧力を印加し、印加された圧力が前記チャンバ内の流体を対象のレシピエントにポンプし、
前記送出段階の間の複数の異なる時間に、前記チャンバ内の流体が対象のレシピエントにどの程度ポンプされたかを算出するように、前記チャンバへの圧力の印加を一時的に中断し、
前記送出段階の間の複数の異なる時間に、前記チャンバ内の流体の量を算出し、
前記送出段階の間の複数の異なる時間に、前記チャンバ内の流体の前記算出された量に基づいて前記チャンバ内の流体を対象のレシピエントに運ぶ流量率を算出するように動作可能である、流体送出システム。
【請求項１１】
前記コントローラはさらに、
実質的に一定の圧力を前記チャンバへ印加して、対象のレシピエントに流体を輸送する導管へ前記チャンバから流体を排出するように動作可能である、請求項１１に記載の流体送出システム。
【請求項１２】
前記コントローラはさらに、
前記算出された流量率を所望の流量率と比較し、
前記算出された流量率と前記所望の流量率との差が閾値よりも大きいことを検出することに応答して、前記チャンバから対象のレシピエントへの流体の流量率を、前記所望の流量率により近づけるように調整するように動作可能である、請求項１１に記載の流体送出システム。
【請求項１３】
前記コントローラはさらに、
前記送出段階の間に、前記チャンバに印加された圧力の大きさを調整するように動作可能である、請求項１２に記載の流体送出システム。
【請求項１４】
前記コントローラはさらに、
前記チャンバと対象のレシピエントの間に配置されたインライン流量抵抗器の抵抗を調整するように動作可能である、請求項１３に記載の流体送出システム。
【請求項１５】
流体送出システムはさらに、
ガス貯蔵タンクと、
前記チャンパと前記ガス貯蔵タンクとの間に配置されたバルブとを含み、
前記コントローラはさらに、
チャンバおよびガス貯蔵タンクの圧力の大きさを異なるように制御し、前記ガス貯蔵タンクの大きさは既知の大きさであり、前記チャンバの大きさは未知の大きさであり、
前記貯蔵タンクと前記チャンバの間のバルブを開けて、前記ガス貯蔵タンクと前記チャンバ内のガスの圧力を実質的に等化し、
前記ガス貯蔵タンクの測定された圧力および前記チャンバの測定された圧力に基づいて前記ガス貯蔵タンクのガスの温度および前記チャンバのガスの温度を推定し、
前記ガス貯蔵タンクおよび前記チャンバのガスの測定された圧力およびガスの推定された温度の少なくとも一部に基づいてどの程度の流体が前記チャンバ内に残存しているかを算出するように動作可能である、請求項１０に記載の流体送出システム。
【請求項１６】
前記コントローラはさらに、
圧力を印加した後に、前記チャンバへ引き込まれた流体がどの程度前記チャンバに残存しているかの少なくとも一部に基づいて、流体が対象のレシピエントにどの程度ポンプされたかを算出するように動作可能である、請求項１５に記載の流体送出システム。
【請求項１７】
前記コントローラはさらに、
前記チャンバへの圧力の印加を中断して、前記チャンバ内の流体を前記レシピエントにポンプすることを実質的に停止するように動作可能である、請求項１０に記載の流体送出システム。
【請求項１８】
前記コントローラはさらに、
前記チャンバへの圧力の印加を中断することに続いて前記チャンバへの圧力の印加を再開し、圧力の印加を再開することにより前記チャンバ内の流体をレシピエントへ再び流すように動作可能である、請求項１０に記載の流体送出システム。
【請求項１９】
内部に記憶される命令を有するコンピュータ可読のハードウェア記憶装置であって、前記命令が、コンピュータプロセッサハードウェアによって実行される場合は、前記コンピュータプロセッサハードウェアに、
ダイアフラムポンプのチャンバへ流体を引き込む動作と、
送出段階の間に、前記チャンバに圧力を印加し、印加された圧力が前記チャンバ内の流体を対象のレシピエントにポンプする動作と、
前記送出段階の間の複数の異なる時間に、前記チャンバへの圧力の印加を一時的に中断して、前記チャンバ内の流体が対象のレシピエントにどの程度ポンプされたかを算出する動作と、
前記送出段階の間の複数の異なる時間に、前記チャンバ内の流体の量を算出する動作と、
前記送出段階の間の複数の異なる時間に、前記チャンバ内の流体の前記算出された量に基づいて、前記チャンバ内の流体を対象のレシピエントに運ぶ流量率を算出する動作と、
を実行させるコンピュータ可読のハードウェア記憶装置。
【請求項２０】
前記チャンバへの圧力の印加を中断することが、チャンバおよびガス貯蔵タンクの圧力の大きさを異なるように制御することを含み、前記貯蔵タンクの大きさは既知の大きさであり、前記チャンバの大きさは未知の大きさであり、
さらに、
前記貯蔵タンクと前記チャンバの間のバルブを開けて、前記貯蔵タンクと前記チャンバのガスの圧力を実質的に等化にすることと、
前記貯蔵タンクの測定された圧力および前記チャンバの測定された圧力に基づいて、前記貯蔵タンクのガスの温度および前記チャンバのガスの温度を推定することと、
前記貯蔵タンクおよび前記チャンバのガスの測定された圧力およびガスの推定された温度の少なくとも一部に基づいて、どの程度の流体が前記チャンバ内に残存しているかを算出することと、
を含む請求項１に記載の方法。
【請求項２１】
前記チャンバに圧力を印加することが、実質的に一定の圧力を前記チャンバへ印加して、対象のレシピエントに流体を輸送する導管へ前記チャンバから流体を排出することを含む、請求項６に記載の方法。
【請求項２２】
前記チャンバへの圧力の印加を中断することが、前記チャンバ内の流体をレシピエントにポンプすることを実質的に停止させる、請求項６に記載の方法。
【請求項２３】
方法はさらに、
前記チャンバへの圧力の印加を中断することに続いて前記チャンバへの圧力の印加を再開し、圧力の印加を再開することにより前記チャンバ内の流体をレシピエントへ再び流すことを含む、請求項６に記載の方法。
【請求項２４】
流体送出システムであって、
チャンバを含むダイアフラムポンプと、
ガス貯蔵タンクと、
前記チャンパと前記ガス貯蔵タンクとの間に配置されたバルブと、
前記ダイアフラムポンプと通信の制御が可能なコントローラとを含み、
当該コントローラは、
ダイアフラムポンプのチャンバへ流体を引き込み、
送出段階の間に、前記チャンバに圧力を印加し、印加された圧力が前記チャンバ内の流体を対象のレシピエントにポンプし、
前記送出段階の間の複数の異なる時間に、前記チャンバへの圧力の印加を一時的に中断して、前記チャンバ内の流体が対象のレシピエントにどの程度ポンプされたかを算出するように動作可能であり、
前記コントローラはさらに、
チャンバおよびガス貯蔵タンクの圧力の大きさを異なるように制御し、前記ガス貯蔵タンクの大きさは既知の大きさであり、前記チャンバの大きさは未知の大きさであり、
前記貯蔵タンクと前記チャンバの間のバルブを開けて、前記ガス貯蔵タンクと前記チャンバのガスの圧力を実質的に等化し、
前記ガス貯蔵タンクの測定された圧力および前記チャンバの測定された圧力に基づいて、前記ガス貯蔵タンクのガスの温度および前記チャンバのガスの温度を推定し、
前記ガス貯蔵タンクおよび前記チャンバのガスの測定された圧力およびガスの推定された温度の少なくとも一部に基づいてどの程度の流体が前記チャンバ内に残存しているかを算出するように動作可能である、流体送出システム。
【請求項２５】
前記コントローラはさらに、
実質的に一定の圧力を前記チャンバに印加して、対象のレシピエントに流体を輸送する導管に前記チャンバから流体を排出させるように動作可能である、請求項２４に記載の流体送出システム。
【請求項２６】
前記チャンバへの圧力の印加を中断することが、前記チャンバ内の流体をレシピエントにポンプすることを実質的に停止させる、請求項２４に記載の流体送出システム。
【請求項２７】
前記コントローラはさらに、
前記チャンバへの圧力の印加を中断することに続いて前記チャンバへの圧力の印加を再開し、圧力の印加を再開することにより前記チャンバ内の流体をレシピエントへ再び流すように動作可能である、請求項２４に記載の流体送出システム。